(57)【要約】【課題】多様なシーンに合わせた照明環境を作ることが可能な照明装置、照明器具および照明制御システムを提供する。【解決手段】電球色を発光する電球色発光素子１１ａ、昼白色を発光する昼白色発光素子１１ｂおよび昼光色を発光する昼光色発光素子１１ｃを有してなる主光源１２と；主として赤色を発光する赤色発光素子１３Ｒ、主として緑色を発光する緑色発光素子１３Ｇおよび主として青色を発光する青色発光素子１３Ｂを有してなる補助光源１３と；主光源、補助光源および透光部１４ｅを有してなる光源体１４と；補助光源により主光源の発光色を補助的に補うように制御する制御手段１５と；を具備する照明装置を構成する。【選択図】      図１
2007299590.tif 000002
【特許請求の範囲】
【請求項１】
電球色を発光する電球色発光素子、昼白色を発光する昼白色発光素子および昼光色を発光する昼光色発光素子を有してなる主光源と；
主として赤色を発光する赤色発光素子、主として緑色を発光する緑色発光素子および主として青色を発光する青色発光素子を有してなる補助光源と；
主光源、補助光源および透光部を有してなる光源体と；
補助光源により主光源の発光色を補助的に補うように制御する制御手段と；
を具備することを特徴とする照明装置。
【請求項２】
電球色を発光する電球色発光素子、昼白色を発光する昼白色発光素子および昼光色を発光する昼光色発光素子を有してなる主光源と；
主として赤色を発光する赤色発光素子、主として緑色を発光する緑色発光素子および主として青色を発光する青色発光素子を有してなる半導体発光素子で構成した補助光源と；
主光源を補助光源を中心とした対称な位置に配置すると共に、透光部を有してなる光源体と；
補助光源により主光源の発光色を補助的に補うように制御する制御手段と；
を具備することを特徴とする照明装置。
【請求項３】
電球色を発光する電球色発光素子、昼白色を発光する昼白色発光素子および昼光色を発光する昼光色発光素子は、それぞれ一対の発光ダイオードで構成され、補助光源は赤色発光ダイオード、緑色発光ダイオードおよび青色発光ダイオードが一つのパッケージに配設されていることを特徴とする請求項１または２に記載の照明装置。
【請求項４】
請求項１ないし３いずれか一に記載の照明装置と、照明装置を配置した器具本体と；
を具備することを特徴とする照明器具。
【請求項５】
請求項１ないし３いずれか一に記載の照明装置において、制御手段を光源体と離隔して設け、離間した位置から光源体に制御信号を送信して制御するようにしたことを特徴とする照明制御システム。
【発明の詳細な説明】
【技術分野】
【０００１】
本発明は、各種の照明環境を作ることが可能な照明装置、照明器具および照明制御システムに関する。
【背景技術】
【０００２】
近年、業務・施設用の照明としては、店舗等における果物売り場や野菜売り場において、例えば、りんごをより赤く、緑の野菜をより緑色に照明したり、バック、靴など販売上重要性が高い商品について高級感をもたせる色に照明したり、また、試着室等において電球を多用したホテル内や、屋外（昼光）でのスーツ着用を想定したシーンなど、さらには季節の移り変わりなど多様なシーンに合わせた照明環境を作ることが可能な照明装置が要求されている。
【０００３】
これは、生活様式の多様化と相まって、一般家庭でも手軽にシーンや気分によって照明の明るさや光の色を変えることができる照明器具が要望されている。
【０００４】
この要望を解決するために、従来例として下記の特許文献１、特許文献２などに、照明の色が変えられる電球形蛍光ランプや所望の色の照明を目的とした発光ダイオードによる発光モジュールなどが存在している。
【特許文献１】特開２００３−２２９００３号公報
【特許文献２】特開２００３−１５２２２７号公報
【発明の開示】
【発明が解決しようとする課題】
【０００５】
特許文献１に示されるものは、色温度の高い昼光色の発光管と色温度の低い電球色の発光管を１個のグローブ内に設け、発光管切換スイッチにより色温度の高い昼光色の発光管のみを点灯したり、色温度の低い電球色の発光管を点灯したり、さらに両方の発光管を点灯して季節のシーンに合わせて「涼」「暖」「明」の照明色で点灯させるものである。
【０００６】
これにより、夏は涼しく、冬は暖かく感じる照明環境を演出することは可能であるが、上述した多様なシーンに対応することはできない。
【０００７】
特許文献２は、発光ダイオードを光源とし、所望の色度照明を目的とした発光モジュールで、具体的には白色または中間色を得るため、発光ダイオードのフィルター部材（レンズ）に、発光ダイオードと補色関係の色度となる色補正手段を形成したものである。
【０００８】
しかしながら、その目的は発光ダイオード製造時における発光波長のバラツキによって生じる歩留まりの向上であり、上述した多様なシーンに合わせた照明環境を作るものではない。
【０００９】
この構成で、仮に、多様なシーンに合わせた照明環境を作るためには、シーンに合わせた色の発光ダイオードモジュールに、都度交換しなければならない。これは、この種発光ダイオードを光源とした照明装置の普及を妨げる要因となってしまう。
【００１０】
このため、多様なシーンに合わせた照明環境を作ることが可能な照明装置、照明器具および照明システムを如何に実現するかが重要な課題となっている。
【００１１】
本発明は、上記の問題、課題に鑑みてなされたもので、多様なシーンに合わせた照明環境を作ることが可能な照明装置、照明器具および照明制御システムを提供しようとするものである。
【課題を解決するための手段】
【００１２】
本発明の目的を達成するため、請求項１に記載の照明装置の発明は、電球色を発光する電球色発光素子、昼白色を発光する昼白色発光素子および昼光色を発光する昼光色発光素子を有してなる主光源と；主として赤色を発光する赤色発光素子、主として緑色を発光する緑色発光素子および主として青色を発光する青色発光素子を有してなる補助光源と；主光源、補助光源および透光部を有してなる光源体と；補助光源により主光源の発光色を補助的に補うように制御する制御手段と；を具備することを特徴とする。
【００１３】
請求項１の発明によれば、補助光源により主光源の発光色を補助的に補うように制御することにより、多様なシーンに合わせた照明環境を作ることが可能な照明装置が構成される。
【００１４】
本発明において、電球色を発光する電球色発光素子、昼白色を発光する昼白色発光素子および昼光色を発光する昼光色発光素子は、発光ダイオードや半導体レーザなどの半導体発光素子でも、電球色、昼白色および昼光色の蛍光ランプでも、さらには電球色、昼白色および昼光色に着色等をしたフィラメント電球や、放電ランプ等で構成してもよい。
【００１５】
主光源の電球色を発光する電球色発光素子、昼白色を発光する昼白色発光素子および昼光色を発光する昼光色発光素子は、それぞれの色温度が厳密な電球色、昼白色および昼光色で発光することが条件ではなく、実用上許容される範囲のそれぞれの色で発光すればよい。
【００１６】
主光源は、電球色を発光する電球色発光素子、昼白色を発光する昼白色発光素子および昼光色を発光する昼光色発光素子を、個々に１個ずつ点灯させても、電球色と昼白色、昼白色と昼光色、昼光色と電球色を２個ずつ点灯させても、さらには電球色、昼白色、昼光色全てを点灯させるように構成されていてもよい。
【００１７】
主として赤色を発光する赤色発光素子、主として緑色を発光する緑色発光素子および主として青色を発光する青色発光素子は、発光ダイオードや半導体レーザなどの半導体発光素子でも、赤色、緑色、青色に着色等をした、フィラメント電球や、放電ランプ等で構成してもよい。
【００１８】
主として赤色を発光する赤色発光素子、主として緑色を発光する緑色発光素子および主として青色を発光する青色発光素子を有してなる補助光源において、その赤色、緑色、青色は、色度図における赤色、緑色、青色を主として発光することが好ましいが、実用上支障を来たさない範囲で、色度図上で多少ずれた、赤色、緑色、青色に近似する色であってもよい。
【００１９】
補助光源は、赤色発光素子、緑色発光素子および青色発光素子を個々に１個ずつ点灯させても、赤色と緑色、緑色と青色、青色と赤色を２個ずつ点灯させても、さらには赤色、緑色、青色全てを点灯させるように構成されていてもよい。
【００２０】
主光源、補助光源および透光部を有してなる光源体は、主光源を補助光源を中心とした対称な位置に配置することが好ましいが、対称な位置ではなく、主光源および補助光源が直線状に複数の列をなすように配置しても、またはランダムに主光源と補助光源を配置するようにしてもよい。
【００２１】
光源体は、主光源および補助光源を有するように収納される本体ケースからなり、半導体発光素子等から発生する熱を放熱するために、アルミニウム等の熱伝導性の良好な金属で構成することを許容するが、合成樹脂の素材にアルミニウム等の金属膜をコーティングしたもの、アルミ箔等を被覆したものなどでもよく、その材質は特定のものに限定されない。
【００２２】
光源体の形状は、正方形等の矩形状に構成しても、円盤状、球状等、さらには白熱電球におけるグローブ形状等に構成してもよく、特定の形状には限定されない。
【００２３】
光源体の透光部は、本体ケースに開口部を設け、光を外部に直接放射する手段でも、開口部に光を透過する透明や半透明の合成樹脂やガラス等で構成した透光体を設けてもよく、さらにレンズ等からなる光路制御手段を設けて配光を制御するようにしてもよい。
【００２４】
補助光源により主光源の発光色を補助的に補うように制御する制御手段は、例えば、主光源の電球色発光素子に補助光源で赤色を補い、「りんご」がより赤みを帯びるように照明して、一層美味しく見えるように色を調整（以下「調色」と称する）するように制御することが一例として許容されるが、これに限らず、店舗等におけるディスプレイにおいて、バッグ、靴など高級感をもたせるために、例えば、主光源の電球色発光素子に補助光源で赤色と緑色を点灯して黄色系の色を構成して主光源を補う制御、試着室等において電球を多用したホテル内や、屋外（昼光）の着用を想定した色を補う制御、化粧室で俳優がスタジオに合った化粧ができるように色を補う制御、季節の移り変わりに合わせた制御、一般家庭で季節や気分に合わせた色を補う制御等、多様なシーンに合わせた照明環境を作るための全ての制御が許容される。さらに、白色の照明環境を得るために、補色関係にある色を補う制御であってもよい。
【００２５】
さらに、上述した調色だけでなく、主光源および補助光源の明るさを調整する調光手段を組み合わせて所望の照明環境を得るようにしてもよい。
【００２６】
さらに、主光源の明るさを調光し、調光した主光源の発光色を補助光源で補い所望の照明環境を得る制御であってもよい。
【００２７】
制御手段は、例えば、上述した赤色を補うシーン、高級感をもたせるためのシーン、電球を多用したホテル内シーン、屋外（昼光）でのシーン、スタジオに合った色のシーン等、各種のシーンに合わせて、コントローラのボタンを押したり、ダイヤルを回転させたりして、手動で主光源および補助光源の発光色を自由に選択して組み合わせ、実際の照明の具合を見ながら、そのシーンに合わせた照明環境を作れるようにしてもよい。
【００２８】
さらに、制御手段は手動に限らず、上述した各シーンに合わせた照明環境を作り出すための照明制御ソフトを作成し、マイクロコンピュータ等に予め記憶させておき、各シーンに合わせて記憶された制御ソフトを自動的に選択して呼び出して必要な照明を、例えば、制御盤のボタンを押して選択できるようにしてもよい。
【００２９】
さらに、手動で調色または調光した照明環境を、制御ソフトの一つとしてコントローラに記憶させる機能を付加し、一度使われた照明環境を、再度自動的に呼び出して必要な照明環境を作り出すことができるようにしてもよい。
【００３０】
さらに、時間や季節、温度や明るさ等をセンサーで検知して制御し、自動的に時間や季節等のシーンに合わせた照明環境を作れるようにしてもよい。
【００３１】
制御手段は、光源体と離隔して設け、離間した位置、例えば、ビルの集中制御室等から制御する照明制御システムを構成しても、制御手段を光源体と直結させた照明器具を、また制御手段を光源体に内蔵させて電球形の照明器具（照明ランプ）を構成するようにしてもよい。
【００３２】
請求項２に記載の照明装置の発明は、電球色を発光する電球色発光素子、昼白色を発光する昼白色発光素子および昼光色を発光する昼光色発光素子を有してなる主光源と；主として赤色を発光する赤色発光素子、主として緑色を発光する緑色発光素子および主として青色を発光する青色発光素子を有してなる半導体発光素子で構成した補助光源と；主光源を補助光源を中心とした対称な位置に配置すると共に、透光部を有してなる光源体と；補助光源により主光源の発光色を補助的に補うように制御する制御手段と；を具備することを特徴とする。
【００３３】
本発明において、光源体は、主光源を補助光源を中心とした対称な位置に配置するが、主光源自体は幾何学的に非対称な位置に配置し、例えば、光ファイバーや反射鏡等の光路制御手段で発光位置が幾何学的に対称な位置になるような光学的手段によって、補助光源を中心とした対称な位置に配置されるように構成してもよい。
【００３４】
請求項３に記載の発明は、請求項１または２に記載の照明装置において、電球色を発光する電球色発光素子、昼白色を発光する昼白色発光素子および昼光色を発光する昼光色発光素子は、それぞれ一対の発光ダイオードで構成され、補助光源は赤色発光ダイオード、緑色発光ダイオードおよび青色発光ダイオードが一つのパッケージに配設されていることを特徴とする。
【００３５】
電球色を発光する電球色発光素子、昼白色を発光する昼白色発光素子および昼光色を発光する昼光色発光素子を構成する一対の発光ダイオードは、それぞれ色温度が、２８００Ｋが電球色、５０００Ｋが昼白色、６５００Ｋが昼光色と一般的に定義された厳密な色温度で発光することが条件ではなく、各色温度近傍の色など、実用上許容される範囲の電球色、昼白色および昼光色で発光すればよい。
【００３６】
補助光源は、赤色発光ダイオード、緑色発光ダイオードおよび青色発光ダイオードが一つのパッケージに配設されるが、個々に独立して構成された赤色発光ダイオード、緑色発光ダイオード、青色発光ダイオード３個を一つのパッケージにして構成して光源体に配置して構成しても、赤色発光ダイオード、緑色発光ダイオード、青色発光ダイオードの各チップを実装した１個の独立したモジュール化を行い、一つのパッケージになるように構成して光源体に配置して構成してもよい。
【００３７】
請求項４に記載の照明器具の発明は、請求項１ないし３いずれか一に記載の照明装置と、照明装置を配置した器具本体と；を具備することを特徴とする。
【００３８】
請求項４の発明によれば、多様なシーンに合わせた照明環境を作ることが可能な照明器具が構成される。
【００３９】
照明装置は、単体で照明器具を構成しても、または1個の照明モジュールとして機能させ、複数個を平面状やライン状、さらには球状等に配置して照明器具を構成するようにしてもよい。
【００４０】
請求項５に記載の照明制御システムの発明は、請求項１ないし３いずれか一に記載の照明装置において、制御手段を光源体と離隔して設け、離間した位置から光源体に制御信号を送信して制御するようにしたことを特徴とする。
【００４１】
請求項５の発明によれば、多様なシーンに合わせた照明環境を作ることが可能な照明制御システムが構成される。
【発明の効果】
【００４２】
請求項１の発明によれば、主として赤色を発光する赤色発光素子、主として緑色を発光する緑色発光素子および主として青色を発光する青色発光素子を有してなる補助光源により、電球色を発光する電球色発光素子、昼白色を発光する昼白色発光素子および昼光色を発光する昼光色発光素子を有してなる主光源の発光色を補助的に補うように制御することにより、多様なシーンに合わせた照明環境を作ることが可能な照明装置を提供することができる。
【００４３】
請求項２の発明によれば、多様なシーンに合わせた照明環境を作ることが可能な照明装置を提供することができると共に、主光源を補助光源を中心とした対称な位置に配置した光源体により、光が均等に放射されて色むらや明るさにむらのない均一な照明環境を作ることができる。
【００４４】
請求項３の発明によれば、電球色を発光する電球色発光素子、昼白色を発光する昼白色発光素子および昼光色を発光する昼光色発光素子は、それぞれ一対の発光ダイオードで構成され、補助光源は赤色発光ダイオード、緑色発光ダイオードおよび青色発光ダイオードが一つのパッケージに配設されているので、多様なシーンに合わせた照明環境を確実に作ることが可能な照明装置を提供することができる。
【００４５】
請求項４の発明によれば、照明装置と、照明装置を配置した器具本体により、多様なシーンに合わせた照明環境を作ることが可能な照明器具を提供することができる。
【００４６】
請求項５の発明によれば、制御手段を光源体と離隔して設け、離間した位置から光源体に制御信号を送信して制御することにより、多様なシーンに合わせた照明環境を作ることが可能な照明システムを提供することができる。
【発明を実施するための最良の形態】
【００４７】
以下、本発明に係る照明装置、照明器具および照明制御システムの実施形態について説明する。
【実施例１】
【００４８】
図１〜図１０は、本発明の実施形態である照明装置、照明器具および照明システムを示し、図１は照明装置の正面図、図２は図1のＡ−Ａ線に沿う断面図、図３は照明装置を使用した照明器具の正面図、図４は照明装置を設置したショーケースの正面図、図５は照明装置を設置した展示棚の正面図、図６は照明装置を設置した試着室の正面図、図７は照明装置の変形例を示し、（ａ）は照明装置の正面図、（ｂ）は照明装置を使用した照明器具の正面図、（ｃ）は照明装置の正面図、（ｄ）は照明装置の正面図、図８は照明装置のさらなる変形例を示し、（ａ）は照明装置の正面図、（ｂ）は照明装置を一部切り欠いて示す断面図、（ｃ）は電球形の照明器具の一部を切り欠いて示す断面図、図９は照明制御システムのシステム構成を示す図である。
【００４９】
本実施例の照明装置は、屋内の照明を行う照明器具として構成されたもので、照明装置１０は、発光素子１１からなる主光源１２、補助光源１３、光源体１４、補助光源１３により主光源１２の発光色を補助的に補うように制御する制御手段１５で構成する。
【００５０】
主光源１２は、電球色を発光する電球色発光素子、昼白色を発光する昼白色発光素子および昼光色を発光する昼光色発光素子で構成し、本実施例では各発光素子１１を半導体発光素子である発光ダイオード（以下「ＬＥＤ１１」と称す）で構成し、それぞれ一対の電球色ＬＥＤ１１ａ、昼白色ＬＥＤ１１ｂおよび昼光色ＬＥＤ１１ｃで構成する。
【００５１】
補助光源１３は、主として赤色を発光する赤色発光素子、主として緑色を発光する緑色発光素子および主として青色を発光する青色発光そしで構成し、本実施例では半導体発光素子である発光ダイオードで構成し、それぞれ１個の赤色発光ＬＥＤ１３Ｒ、緑色発光ＬＥＤ１３Ｇ、青色発光ＬＥＤ１３Ｂで構成する。
【００５２】
光源体１４は、主光源１２、補助光源１３および透光部を有して構成される。
【００５３】
すなわち、光源体１４は、アルミニウム等の熱伝導性の良好な金属からなり、横断面が正方形の薄い箱状をなす本体ケース１４ａを有し、本体ケース１４ａ内には、主光源および補助光源の各ＬＥＤを実装する正方形のプリント配線基板１４ｂと、プリント配線基板の裏面に接して設けられたアルミニウム等の熱伝導性の良好な金属からなる正方形の放熱板１４ｃが重ねられて収納される。
【００５４】
補助光源１３を構成する赤色発光ＬＥＤ１３Ｒ、緑色発光ＬＥＤ１３Ｇ、青色発光ＬＥＤ１３Ｂは、個々に独立して構成された発光ダイオード３個を中心点ａを中心として、約１２０°の角度の間隔で略等間隔に、かつ同心円状に配置して、一つの円形パッケージに構成し、中心ａが正方形の光源体１４の中心ａと重なるようにしてプリント配線基板１４ｂに実装する。
【００５５】
主光源１２を構成する一対の電球色ＬＥＤ１１ａ、昼白色ＬＥＤ１１ｂ、昼光色ＬＥＤ１１ｃは、水平な直線上に略等間隔で、図１中、上部に位置する各ＬＥＤは右から左に順に、電球色ＬＥＤ１１ａ、昼白色ＬＥＤ１１ｂ、昼光色ＬＥＤ１１ｃを配置し、補助光源１３を挟んだ下部の各ＬＥＤは逆に、右から左に昼光色ＬＥＤ１１ｃ、昼白色ＬＥＤ１１ｂ、電球色ＬＥＤ１１ａの順で配置してプリント配線基板１４ｂに実装される。
【００５６】
これにより、主光源１２の各一対のＬＥＤを補助光源１３の中心点ａ（正方形の光源体の中心点ａ）を中心とした対称な位置に対をなすように配置する。
【００５７】
光源体１４は、本体ケース１４ａに本発明の透光部を構成する正方形の開口部１４ｄを形成し、開口部には開口を閉塞するための透光体１４ｅを設ける。
【００５８】
透光体１４ｅは、主光源１２および補助光源１３からの光を外部に放射させるためのもので、無色透明なポリカーボネート等の合成樹脂で開口部１４ｄの内寸と略同寸法の正方形に構成し、開口部に嵌合してシリコーン等の耐熱性の接着剤で固定する。
【００５９】
本体ケース１４ａの側面には、主光源１２および補助光源１３に電源および制御信号を供給するための入力端子１４ｆを設ける。
【００６０】
上記により、本発明の照明装置１０が構成され、その外形寸法は、縦横寸法ａが約２０ｍｍ、厚さ寸法ｔが約５ｍｍ、入力電圧ＤＣ１２Ｖ、最大消費電力が４Ｗ、明るさ３０ｌｍ／Ｗ（各ＬＥＤとして０．５ＷのＬＥＤチップ使用）の正方形をなした薄形の１パッケージの照明装置が構成される。
【００６１】
さらに、上記照明装置は、ＬＥＤ照明モジュールとしもて構成され、図３に示すようにＬＥＤ照明モジュールである照明装置１０を複数個、長尺な直線状の器具本体２１上に並べて配置しライン形の照明器具２０を構成する。
【００６２】
次に、上記に構成された照明装置において、主光源の発光色を補助光源により補助的に補うように制御する制御手段の構成を説明する。
【００６３】
１５は制御手段を構成するコントローラで、照明装置１０とは別体に構成し、その制御ボックス１５ａ内に制御回路（図示せず）が内蔵されている。
【００６４】
制御回路は、マイクロコンピュータ等の電子回路で構成され、補助光源１３により主光源１２の発光色を補助的に補い、多様なシーンに合わせた照明環境を作るための各種の機能を有するように構成される。
【００６５】
すなわち、制御回路を操作するために、制御ボックス１５ａの制御盤には、「入／切ボタン」１５ｂ、「自動／手動切換ボタン」１５ｃ、「シーン選択ボタン」１５ｄ、「主光源ボタン」１５ｅ、「補助光源ボタン」１５ｆ、「調光ダイヤル」１５ｇが設けられている。
【００６６】
「入／切ボタン」１５ｂは、１回押すと出力がＯＮとなり、表示ランプ１５ｂ１が点灯してＯＮ状態を表示する。もう１回押すと出力がＯＦＦになり、表示ランプ１５ｂ１が消灯する。
【００６７】
「自動／手動切換ボタン」１５ｃは、１回押すと「自動」モードが選択され、もう1回押すと「手動」モードが選択され、選択された各モードは表示ランプ１５ｃ１、１５ｃ２が点灯して表示する。
【００６８】
「シーン選択ボタン」１５ｄは、「自動／手動切換ボタン」１５ｃを「自動」にセットしたときに機能し、「シーン選択ボタン」１５ｄを１回ずつ押すことにより、予め記憶された各シーンに合わせた照明環境を作るための照明制御ソフトが順番に自動的に選択され、選択された制御ソフトは表示ランプ１５ｄ１〜１５ｄ６が順次対応し点灯して表示する。
【００６９】
「主光源ボタン」１５ｅは、１回ずつ押すことにより、主光源１２の電球色ＬＥＤ１１ａ、昼白色ＬＥＤ１１ｂ、昼光色ＬＥＤ１１ｃが順番に選択されて順次点灯し、選択された各ＬＥＤは表示ランプ１５ｅ１、１５ｅ２、１５ｅ３が点灯することにより表示される。
【００７０】
「補助光源ボタン」１５ｆは、１回ずつ押すことにより、補助光源の赤色発光ＬＥＤ１３Ｒ、緑色発光ＬＥＤ１３Ｇ、青色発光ＬＥＤ１３Ｂが順次点灯し、さらに押していくと、赤色と緑色、緑色と青色、青色と赤色の各ＬＥＤを２個ずつ点灯させ、さらに押すと赤色、緑色、青色全てを点灯させる。
【００７１】
選択された各ＬＥＤは表示ランプ１５ｆ１、１５ｆ２、１５ｆ３が点灯することにより表示される。
【００７２】
「調光ダイヤル」１５ｇは、ダイヤルを回転することにより「暗」、「明」、「白」の範囲で主光源１２および補助光源１３の明るさを調整する。
【００７３】
「主光源ボタン」１５ｅ、「補助光源ボタン」１５ｆ、「調光ダイヤル」１５ｇは、「自動」「手動」のセット状態に係わらず、操作でき各機能を果たすことができるように構成する。
【００７４】
上記において、各ボタンおよびダイヤルが上記のように作動するので、「自動／手動切換ボタン」１５ｃによって「手動」モードにセットすることにより、使用者が自由に主光源１２および補助光源１３の各ＬＥＤを選択して制御し、各シーンに合わせた調色および調光を行うことができる。
【００７５】
例えば、下記の「表１」に示すように制御して、部屋の実際の照明状態を見ながら、そのシーンに最も合った照明環境を作るように操作する。
【００７６】
【表１】
2007299590.tif 000003
「表1」は、各照明シーンにおいて、主光源１２および補助光源１３の各ＬＥＤの点灯状態を表にして示したもので、表中、○印は１００％調光点灯、△印は５０％調光点灯、無印は選択されず点灯していない状態を示す。
【００７７】
例えば、赤色シーン＝Ａでは、「主光源ボタン」１５ｅを操作して、電球色ＬＥＤ１１ａを点灯し、さらに「補助光源ボタン」１５ｆを操作して赤色発光ＬＥＤ１３Ｒを点灯した状態を示している。
【００７８】
また、制御回路には、商品の出荷時に、補助光源１３により主光源１２の発光色を補助的に補い、多様なシーンに合わせた照明環境を作るための照明制御ソフトが予め記憶されている。
【００７９】
例えば、上記「表１」に示された各シーンである「赤色シーン＝Ａ」、「緑色シーン＝Ｂ」、「青色シーン＝Ｃ」、「高級感シーン＝Ｄ」、「ホテルシーン＝Ｅ」、「屋外シーン＝Ｆ」に合わせた制御ソフトが記憶され、「自動／手動切換ボタン」１５ｃを「自動」にセットし、「シーン選択ボタン」１５ｄを１回ずつ押すことにより、上記「表１」に予め記憶された各照明シーンの制御ソフトを、順番に自動的に選択することができる。
【００８０】
また、制御回路には、自動で選択された各シーンにおいて、さらに「主光源ボタン」１５ｅ、「補助光源ボタン」１５ｆ、「調光ダイヤル」１５ｇによる手動での調色、調光を付加して、より実際の場面に合った所望の照明環境を作りだすことができる機能も有している。
【００８１】
図１中１５ｈは、コントローラの制御ボックス１５ａ側面に設けられた出力端子で照明装置１０の入力端子１４ｆにケーブルを介して接続される。１５ｉは直流入力端子で、ケーブルおよびＡＣアダプター１５ｊを介して商用電源に接続される。
次に、上記のように構成された照明装置１０および制御手段１５により、例えば、デパート等店舗内の各売り場における各種のシーンに合わせて照明環境を作る方法につき説明する。
【００８２】
まず、図４に示すように、店舗の果物売り場や野菜売り場のショーケース３０に対して、照明装置１０を２台、スポット照明ができるように設置する。
【００８３】
各照明装置１０に接続されたコントローラ１５は、目立たないようにショーケース３０の側面や裏面等に設置して商用電源に接続する。
【００８４】
上記に設置した状態で、ショーケース３０に並べられた「りんごＸ」を、より赤く展示したい場合には、店員が開店前に、コントローラ１５の「入／切ボタン」１５ｂを押してＯＮにする。
【００８５】
さらに、「自動／手動切換ボタン」１５ｃを、２回押して「手動」モードを選択する。
【００８６】
次に、上述した「表１」の「赤色シーン＝Ａ」に示すように、コントローラ１５の「主光源ボタン」１５ｅを操作して、主光源１２の電球色ＬＥＤ１１ａを点灯し、さらに「補助光源ボタン」１５ｆを操作して赤色発光ＬＥＤ１３Ｒを点灯する。
【００８７】
この状態で調色の具合を見ながら「調光ダイヤル」１５ｇを回して明るさを調整し、赤みの調合度合いを見ながらセットする。
【００８８】
同様にショーケース３０に並べられた「青物野菜Ｙ」を、より緑色に展示したい場合には、「表１」の「緑色シーン＝Ｂ」に示すように、「主光源ボタン」１５ｅを操作して、主光源１２の昼白色ＬＥＤ１１ｂを点灯し、さらに「補助光源ボタン」１５ｆを操作して緑色発光ＬＥＤ１３Ｇを点灯し、調色の具合を見ながら「調光ダイヤル」１５ｇを回して明るさを調整し、緑色の調合度合いを見ながらセットする。
【００８９】
また、図示しないが、スポーツ用品売り場において、商品のバックの壁面等に青空をイメージした照明を行う場合には、「表１」の「青色シーン＝Ｃ」に示すように、「主光源ボタン」１５ｅを操作して、主光源１２の昼光色ＬＥＤ１１ｃを点灯し、さらに「補助光源ボタン」１５ｆを操作して青色発光ＬＥＤ１３Ｂを点灯し、調色の具合を見ながら「調光ダイヤル」１５ｇを回して明るさを調整し、青色の調合度合いを見ながらセットする。
【００９０】
図５に示すように、バッグ売り場においては、展示棚４０に照明装置１０を２台、スポット照明ができるように設置する。
【００９１】
設置した状態で、展示棚４０に並べられた「高級バッグＺ」を、より高級感を持たせて展示する場合には、「表１」の「高級感シーン＝Ｄ」に示すように、「主光源ボタン」１５ｅを操作して、主光源１２の電球色ＬＥＤ１１ａを点灯し、さらに「補助光源ボタン」１５ｆを操作して赤色発光ＬＥＤ１３Ｒおよび緑色発光ＬＥＤ１３Ｇを点灯して黄色系（金色系）の色を出し、調色の具合を見ながら「調光ダイヤル」１５ｇを回して明るさを調整し、黄色系の調合度合いを見ながらセットする。
【００９２】
図６に示すように、婦人服売り場の試着室５０においては、試着室の立ち鏡５１の両側に、ライン形の照明器具２０を設置する。
【００９３】
図中５２は、試着室の天井面に予め設置されたハロゲン電球からなるダウンライトである。
【００９４】
上記のように設置された試着室で、電球を多用したホテルでの見栄え、スーツの色の様子を見せたい場合には、「表１」の「ホテルシーン＝Ｅ」に示すように、店員が「主光源ボタン」１５ｅを操作して、主光源１２の電球色ＬＥＤ１１ａを点灯し、「調光ダイヤル」１５ｇを回して明るさを調整して５０％調光にセットして暗目の電球色の色を出し、さらに「補助光源ボタン」１５ｆを操作して赤色発光ＬＥＤ１３Ｒを点灯し、天井に設置されたハロゲン電球からなるダウンライト５２からの色も合わせ、実際の照明の調色具合を見ながら「調光ダイヤル」１５ｇを回して明るさを調整し、赤色の調合度合いを見ながらセットする。
【００９５】
これにより、試着室が電球を多用したホテルの照明シーンに演色され、試着する購入者がホテルでの見栄え、スーツの色の様子を確認して見ることができる。
【００９６】
また、晴れた屋外での見栄え、スーツの色の様子を見せたい場合には、「表１」の「屋外シーン＝Ｆ」に示すように、「主光源ボタン」１５ｅを操作して、主光源１２の昼光色ＬＥＤ１１ｃを点灯し、さらに「補助光源ボタン」１５ｆを操作して赤色発光ＬＥＤ１３Ｒ、緑色発光ＬＥＤ１３Ｇ、青色発光ＬＥＤ１３Ｂを、全て点灯して白色を出し、ダウンライト５２からの色も合わせ、調色の具合を見ながら「調光ダイヤル」１５ｇを回して明るさを調整し、白色の調合度合いを見ながら晴れた自然光に近い屋外の照明シーンを演色する。
【００９７】
また、より簡易に、各シーンに合わせた照明環境を作りたい場合、または試着室などで、操作に馴れていないお客が直接自分で操作して見たい場合には、「自動／手動切換ボタン」１５ｃを、１回押して「自動」モードに設定しておく。
【００９８】
これにより、お客は「シーン選択ボタン」１５ｄを１回ずつ押して、予め記憶された各照明シーン、上記「表１」に示された「赤色シーン＝Ａ」、「緑色シーン＝Ｂ」、「青色シーン＝Ｃ」、「高級感シーン＝Ｄ」、「ホテルシーン＝Ｅ」、「屋外シーン＝Ｆ」を自動的に選択し、各シーンに合わせた照明環境を自動的に作ることができ、ホテル内や晴れた屋外での見栄え、スーツの色の様子を手軽に見ることができる。
【００９９】
また、上記のようにして自動で選択された各シーンにおいて、より実際に近い照明環境を、さらに作り出したい場合には、「主光源ボタン」１５ｅ、「補助光源ボタン」１５ｆ、「調光ダイヤル」１５ｇによる手動での調色、調光を付加するように操作する。
【０１００】
以上、本実施例において、主光源１２を構成する一対の電球色ＬＥＤ１１ａ、昼白色ＬＥＤ１１ｂ、昼光色ＬＥＤ１１ｃを、水平な直線上に等間隔に配置したが、図７（ａ）に示すように、垂直方向に配置してもよい。
【０１０１】
これにより、ライン形の照明器具２０を構成した場合、各ＬＥＤがライン上に略均等に配置されて、色むらや明るさにむらのない均一な照明器具を構成することができる。
【０１０２】
すなわち、図７（ｂ）に示すように、昼白色ＬＥＤ１１ｂはライン形の照明器具２０の中間線ａ−ａに沿って略均等な間隔をもって配置される。また電球色ＬＥＤ１１ａおよび昼光色ＬＥＤ１１ｃは、器具の幅方向にジグザク状で器具の長手方向に伸びるそれぞれの線ｂ−ｂおよびｃ−ｃ線に沿って略均等な間隔で配置され、色むらや明るさにむらのない均一な照明器具を構成することができる。
【０１０３】
主光源１２を構成する各ＬＥＤ１１を、水平な直線上に順に電球色ＬＥＤ１１ａ、昼白色ＬＥＤ１１ｂ、昼光色ＬＥＤ１１ｃを、または逆に配置したが、配置する順番は入れ換えてもよい。
【０１０４】
主光源１２を構成する一対の電球色ＬＥＤ１１ａ、昼白色ＬＥＤ１１ｂ、昼光色ＬＥＤ１１ｃは、図７（ｃ）に示すように同心円上に略等間隔に配置し、同心円状に配置された補助光源１３の中心点ａを中心として対称な位置に対をなすように配置してもよい。
【０１０５】
この場合には、本体ケース１４ａ、プリント配線基板１４ｂ、放熱板１４ｃも円形に構成し、円盤状の光源体１４を構成して丸形モジュールとなる照明装置を構成してもよい。
【０１０６】
補助光源１３を構成する各ＬＥＤを、時計回りに順に赤色発光ＬＥＤ１３Ｒ、緑色発光ＬＥＤ１３Ｇ、青色発光ＬＥＤ１３Ｂになるように配置したが、配置する順番は入れ換えてもよい。
【０１０７】
また、補助光源１３を構成する各ＬＥＤを、等間隔でかつ同心円状に配置して一つの円形パッケージにして構成したが、図７（ｄ）に示すように、主光源１２の各ＬＥＤの列の中間に、水平方向に直線状に配置して、各光源が直線の列をなすように配置してもよく、さらには、ランダムに主光源１２と補助光源１３の各ＬＥＤを配置するようにしてもよい。
【０１０８】
主光源１２の電球色ＬＥＤ１１ａ、昼白色ＬＥＤ１１ｂ、昼光色ＬＥＤ１１ｃを、各一対６個設けたが、それぞれ１個ずつのＬＥＤで構成しても、また電球色ＬＥＤ１ａを２対、他を一対設ける等、各ＬＥＤの個数を異ならせて設けてもよい。
【０１０９】
補助光源１３の各ＬＥＤも、１個ずつ計３個に限定されず、例えば２個ずつ計６個や、赤色発光ＬＥＤ１３Ｒを２個、他のＬＥＤは１個等、各ＬＥＤの個数を異ならせてもよい。
【０１１０】
照明装置を制御する制御手段１５を、照明装置と別体に構成したが、一体に構成してもよい。
【０１１１】
すなわち、図８（ａ）に示すように、コントローラ１５の制御ボックス１５ａを照明装置１０の光源体１４にプラグイン方式で着脱可能に接続し、電気的接続と機械的接続を同時に行えるように構成して、照明装置１０と制御手段１５を一体化してもよい。
【０１１２】
図８（ｂ）に示すように、光源体１４の下面に、一体に収納室１４ｇを設け、収納室にコントローラ１５の制御回路を収納するようにして照明装置１０と制御手段１５を一体化してもよい。
【０１１３】
この場合、コントローラの操作ボタン１５ｋ等を本体ケース１４ａの側面等に設けて外方から操作できるように構成する。
【０１１４】
さらに、図８（ｃ）に示すように、光源体１４の本体ケース１４ａを一般の白熱電球のシルエットに近いグローブ形に形成し、グローブの一端に白熱電球と同様のＥ２６型等の口金１４ｈを取り付け、その内部にコントローラ１５の制御回路を収納し、照明装置１０と制御手段１５が一体化された電球形のＬＥＤ照明器具（照明ランプ）を構成してもよい。
【０１１５】
この場合、例えば、一般家庭において使用されている白熱電球に代えて、上記電球形のＬＥＤ照明器具の口金１４ｈを電球ソケットに取り付けて設置し、季節や気分に応じた照明を演出できるようにしてもよい。
【０１１６】
すなわち、器具外面にスライド式のスイッチ１５ｍ等を設け、「春」「夏」「秋」「冬」の切換表示にしたがってスイッチ１５ｍを切り換え、例えば、夏季の暑い時期には青色を主体とした演色を行い、部屋を涼しく感じさせ、冬には赤色を主体とした演色を行い、暖かく感じさせる等の季節シーンに合わせた照明環境を作るようにしてもよい。
【０１１７】
1台の照明装置１０と制御手段１５で、デパート等の各種売り場の照明を行うように構成したが、例えば、ライン形の照明器具２０を部屋毎に複数台設置して、1台の制御手段１５で集中的に制御する照明制御システム６０を構成してもよい。
【０１１８】
すなわち、図９に示すように、オフィス等の各部屋に複数個のライン形の照明器具２０を設置し、さらに集中制御室に電源ボックス６１および制御手段である制御盤６２を設置して配線を行いオフィス用の照明制御システム６０を構成する。
【０１１９】
制御は、集中制御室の制御盤６２から調色および調光信号を各照明器具２０に送信し、各部屋の照明器具２０を個別に、または同時に制御して各部屋の必要とするシーンに合わせた照明環境を作るように制御する。
【０１２０】
本実施例の照明装置は、屋内の照明を行う照明器具として構成したが、家庭用、さらには、店舗、施設、業務用等の屋外用の各種照明器具として構成してもよい。
【０１２１】
以上、本実施例によれば、主として赤色を発光する赤色発光素子、主として緑色を発光する緑色発光素子および主として青色を発光する青色発光素子を有してなる補助光源により、電球色を発光する電球色発光素子、昼白色を発光する昼白色発光素子および昼光色を発光する昼光色発光素子を有してなる主光源の発光色を補助的に補うように制御することにより、多様なシーンに合わせた照明環境を作ることが可能な照明装置を提供することができる。
【０１２２】
しかも、使用者はコントローラを単に操作するだけで、手軽に必要とする照明環境を作り出すことができる。
【０１２３】
制御手段に、手動および自動モードを切り換える機能を設けたので、手動モードによって使用者は自由に、照明の調色、調光の具合を見ながら調整をすることができ、多様なシーンに合わせた照明環境を確実に作り出すことができる。
【０１２４】
また、手動モードを設けたので、試着室などに予め設置されたハロゲン電球など、既存の照明との調色の具合を見ながら調整をすることもでき、より多様なシーンに合わせた照明環境を作ることが可能となる。
【０１２５】
手動モードにより、例えば、テレビ局などの化粧室において、化粧鏡にセットしたライン形の照明装置を制御して、スタジオ照明のシーンに合わせた照明にしておけば、俳優がスタジオに合った化粧をして出演することも可能となる。
【０１２６】
また、自動モードによって、制御手段に予め記憶された各種の照明環境を自動的に選択することができるので、より簡易に多様なシーンに合わせた照明環境を作ることができる。
【０１２７】
自動モードと手動モードとを組み合わせ、自動で選択された照明環境に対し、手動モードでさらに調色、調光を行うことができ、より多様なシーンへ対応することが可能となる。
【０１２８】
制御手段に調光機能を付加したので、補助光源１３により主光源１２の発光色を補助的に補う調色と、主光源１２および補助光源１３の調光も行うことができ、より一層多様なシーンに合わせた照明環境を作ることが可能となる。
【０１２９】
照明装置の構成として、一対の主光源１２を補助光源１３を中心とした対称な位置に配置した光源体により、より一層多様なシーンに合わせた照明環境を確実に作ることが可能となると共に、調色、調光された光が周囲に均等に放射され、色むらや明るさにむらのない均一な照明環境を作ることができる。
【０１３０】
補助光源は赤色発光ＬＥＤ、緑色発光ＬＥＤおよび青色発光ＬＥＤが一つのパッケージになるように配設されているので、簡易な構成でコンパクトな照明装置を作ることができる。
【０１３１】
さらに、多様なシーンに合わせた照明環境を作ることが可能な照明装置として、１パッケージの構成としたので、汎用性に富み、各種の照明環境に合わせた照明器具や照明制御システムを簡易に構成することが可能となる。
【０１３２】
照明装置を構成する本体ケース１４ａを、光沢のあるアルミニウムで構成したので、各ＬＥＤから発光した光の内、直進せずに周囲方向に拡散した光は、本体ケース１４ａの内面で反射され透光体１４ｅからロスなく放射される。
【０１３３】
同時に、各ＬＥＤ１１から発生する熱は、光源体１４内での対流による冷却作用に加え、アルミニウムで構成した放熱板１４ｃ及び本体ケース１４ａに直接伝導され、本体ケースの外周面から効果的に外部に放出されて各ＬＥＤの温度上昇が抑制される。
【０１３４】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１３５】
【図１】本発明の実施形態である照明装置の正面図。
【図２】同じく照明装置の図1のＡ−Ａ線に沿う断面図。
【図３】同じく照明装置を使用した照明器具の正面図。
【図４】同じく照明装置を設置したショーケースの正面図。
【図５】同じく照明装置を設置した展示棚の正面図。
【図６】同じく照明装置を設置した試着室の正面図。
【図７】同じく照明装置の変形例を示し、（ａ）は照明装置の正面図、（ｂ）は照明装置を使用した照明器具の正面図、（ｃ）は照明装置の正面図、（ｄ）は照明装置の正面図。
【図８】同じく照明装置のさらなる変形例を示し、（ａ）は照明装置の正面図、（ｂ）は照明装置を一部切り欠いて示す断面図、（ｃ）は電球形の照明器具の一部を切り欠いて示す断面図。
【図９】同じく照明制御システムのシステム構成を示す図。
【符号の説明】
【０１３６】
１０  照明装置
１１ａ  電球色発光素子
１１ｂ  昼白色発光素子
１１ｃ  昼光色発光素子
１２  主光源
１３  補助光源
１３Ｒ  赤色発光素子
１３Ｇ  緑色発光素子
１３Ｂ  青色発光素子
１４  光源体
１４ｅ  透光部
１５  制御手段
２０  照明器具
６０  照明制御システム
【図１】
2007299590.tif 000004
【図２】
2007299590.tif 000005
【図３】
2007299590.tif 000006
【図４】
2007299590.tif 000007
【図５】
2007299590.tif 000008
【図６】
2007299590.tif 000009
【図７】
2007299590.tif 000010
【図８】
2007299590.tif 000011
【図９】
2007299590.tif 000012